(57)【要約】【課題】無線充電装置をディスプレイと一体化させるシステム及び方法を提供することである。【解決手段】このシステムは、情報を無線充電装置から受信する情報受信機と、情報を処理する情報処理装置であって、処理済み情報が無線充電装置に関する情報であるかまたは無線充電装置上の電子機器に関する情報である、という情報処理装置と、処理済み情報をシステムに接続されるディスプレイに送信する情報通信機器と、を含む。【選択図】図１
2016135099.tif 000002
【特許請求の範囲】
【請求項１】
無線充電装置をディスプレイと一体化させるシステムであって、
一体化のためのプログラム命令群を格納するコンピュータ可読媒体を有するデータ記憶装置と、
前記プログラム命令群を実行する処理装置と、
前記無線充電装置から情報を受信する情報受信機と、
前記情報を処理する情報処理装置であって、当該処理済み情報は無線充電装置に関する情報または無線充電装置上の電子機器に関する情報である、という情報処理装置と、
前記処理済み情報を当該システムに接続されるディスプレイに送信する情報通信機器と、
を備えたことを特徴とするシステム。
【請求項２】
前記情報は、送信技術を介して、前記電子機器から前記無線充電装置に供給される、請求項１に記載のシステム。
【請求項３】
前記処理済み情報は、前記無線充電装置のオン／オフ状態として規定されている、請求項１に記載のシステム。
【請求項４】
前記処理済み情報は、前記無線充電装置に関連付けられた送電用コイルに対する前記電子機器の位置合わせ支援として規定されている、請求項１に記載のシステム。
【請求項５】
前記処理済み情報は、前記電子機器の充電レベルとして規定されている、請求項１に記載のシステム。
【請求項６】
前記処理済み情報は、前記電子機器の充電速度として規定されている、請求項１に記載のシステム。
【請求項７】
前記処理済み情報は、前記電子機器の充電効率として規定されている、請求項１に記載のシステム。
【請求項８】
前記処理済み情報は、前記電子機器を前記無線充電装置で充電するための時間として規定されている、請求項１に記載のシステム。
【請求項９】
前記無線充電装置は、更に、第２電子機器を充電するように構成されている、請求項１に記載のシステム。
【請求項１０】
前記処理済み情報は、前記電子機器及び前記第２電子機器それぞれに関連する充電モードとして規定されている、請求項９に記載のシステム。
【請求項１１】
前記処理済み情報は、前記無線充電装置で積極的に充電される機器群の数として規定されている、請求項９に記載のシステム。
【請求項１２】
前記処理済み情報は、前記無線充電装置に関連する識別情報として規定されている、請求項１に記載のシステム。
【請求項１３】
前記処理済み情報は、前記無線充電装置で無線充電されているバッテリの動作状態として規定されている、請求項１に記載のシステム。
【請求項１４】
前記処理済み情報は、更に、前記バッテリの異常状態として規定されている、請求項１３に記載のシステム。
【請求項１５】
無線充電装置をヒューマンマシンインターフェース（ＨＭＩ）ディスプレイを介して制御するシステムであって、
制御のためのプログラム命令群を格納するコンピュータ可読媒体を有するデータ記憶装置と、
前記プログラム命令群を実行する処理装置と、
前記ＨＭＩディスプレイを介してコマンドを受信するヒューマンマシンインターフェース（ＨＭＩ）ディスプレイコマンド受信機と、
前記コマンドを処理するコマンド処理装置と、
前記処理済みコマンドを前記無線充電装置に送信するコマンド伝送装置と、
を備えたことを特徴とするシステム。
【請求項１６】
前記処理済みコマンドは、前記無線充電装置のオン／オフ状態を制御する命令として規定されている、請求項１５に記載のシステム。
【請求項１７】
前記処理済みコマンドは、無線充電モードの選択として規定されている、請求項１５に記載のシステム。
【請求項１８】
第２電子機器が前記無線充電装置上に無線充電状態で載置される時、前記処理済みコマンドは、前記電子機器及び前記第２電子機器の各々を個々に無線充電するかどうか制御するかどうかの選択として規定されている、請求項１５に記載のシステム。
【請求項１９】
前記処理済みコマンドは、前記電子機器及び前記第２電子機器の各々に対する無線充電に関連する優先度として規定されている、請求項１８に記載のシステム。
【請求項２０】
無線充電装置及びヒューマンマシンインターフェース（ＨＭＩ）ディスプレイを一体化させる方法であって、
前記無線充電装置に関する情報を、電気信号を介して受信する工程と、
前記受信情報に基づいてグラフィカルユーザインターフェース（ＧＵＩ）を生成する工程と、
前記ＧＵＩとの相互作用に基づいて、前記無線充電装置に対する制御を許可する工程と、
を備え、
前記受信する工程、前記生成する工程及び前記許可する工程のうちの少なくとも１つは、処理装置上で行なわれる
ことを特徴とする方法。
【発明の詳細な説明】
【背景技術】
【０００１】
〔関連特許出願の相互参照〕
本出願は、２０１５年１月２２日に出願され、かつ弁護士整理番号４６１０７−０２１５０（Ｖ２１４−００２８）を有する米国特許出願第１４／６０３，０３５号に関するものであり、この米国特許出願は現出願と同じ譲受人に譲渡され、当該米国特許出願の全てが、本明細書において全てが示されるものとして参照されることにより、当該出願の内容全体が本明細書に組み込まれる。
【０００２】
移動体電子機器及び移動体機器は、益々広く利用されるようになっている。多くの場合、移動体機器（または、電子機器）は、エネルギー蓄積装置を含み、かつエネルギー蓄積装置内の電力を用いて、移動体機器に関連する機能を実行する。移動体機器はスマートフォン、タブレット、ラップトップなどであり得る。
【０００３】
移動体機器を充電するために、有線充電システムが、従来提供されている。移動体機器の操作者は、移動体機器を充電用電源（例えば、壁の差し込み口、または車載電源アダプター）に接続することができ、そして当該機器が完全に充電されるのを待つ、または、元の充電率より高い充電率に充電されるのを待つ。接続は、有線を介して、または移動体機器に接続されかつユーザが移動体機器を充電用電源にプラグインすることを許容するようなソケットを介して、行なわれる。
【０００４】
近年、有線で充電するという考え方が、無線で充電するという考え方に置き換わってきている、または無線で充電するという考え方で補強されるようになってきている。無線充電を早期に実施した際には、無線エネルギーを移動体機器に伝送するコイルを用いていた。移動体機器は、無線エネルギーを受電して、当該無線エネルギーを利用可能かつ蓄積可能な電力に変換する技術を実装していた。
【０００５】
この実装形態では、単一のコイルが利用される。従って、この種類の無線充電事業者は、ユーザに移動体機器を載置すべき場所の位置または状況を案内するように機能する種々の指示情報を提供することができる。このようにして、ユーザは、移動体機器を、無線充電率を最適化して確保する領域に載置するために効果的に案内される。
【０００６】
近年、大量の移動体機器が新製品として発売されている。他の事例では、移動体機器操作者は、無線充電を利用可能にするケースを取り付ける、または増設することができる。種々の移動体機器は、それぞれ、異なるサイズ及び異なる充電容量を有する。
【発明の概要】
【発明が解決しようとする課題】
【０００７】
更に、無線充電に関連する複数の規格が新たに発表されている。従って、電子機器は、無線充電の１種類以上の規格を取り込むことができる。同じことが、無線充電装置に当てはまる。無線充電方式に付加されるこれらの付帯情報は、余分の複雑さを与えることになる。例えば、無線充電装置は、第１規格及び第２規格に準拠した無線充電機能を備えることがある。充電対象電子機器は、第１規格及び第２規格に準拠した無線受電機能を備えることがある。このように、無線充電動作時に用いる規格をいずれの規格にするかについての選択を、無線充電動作と併せて行なうことがある。
【０００８】
特定の事例では、電子機器所有者は、電子機器を無線充電面に移動させるか、または場所を移して、無線充電率を向上させる、または無線充電できるようにする。更に、無線充電装置に、異なるサイズ及び形状の複数の機器を受け入れることができる表面を形成することができる。これらの事例では、無線充電面への電子機器の載置は、非正確な科学である。
【０００９】
従来の無線充電装置は、発光ダイオード（ＬＥＤ）または他の簡単なインジケータを含むことができる。インジケータは、電子機器が無線充電に適する位置に位置しているかどうか、を表示することができる。
【課題を解決するための手段】
【００１０】
以下の説明は、無線充電装置を一体化させるシステムに関するものである。例示的な実施形態もまた、システム、無線充電装置、ディスプレイ、またはこれらの構成要素の組み合わせのいずれか、に関するものであってもよい。
【００１１】
本発明の更に別の特徴は、以下の説明に開示され、これらの特徴の一部は、説明から明らかになる、または本発明を実施することにより学習することができる。
【００１２】
無線充電装置をディスプレイと一体化させるシステム及び方法が、本明細書において提供される。このシステムは、情報を無線充電装置から受信する情報受信機と、情報を処理する情報処理装置であって、処理済み情報が無線充電装置に関する情報であるかまたは無線充電装置上の電子機器に関する情報である、という情報処理装置と、処理済み情報をシステムに接続されるディスプレイに送信する情報通信機器と、を含む。
【００１３】
これまでの概要説明及び以下の詳細な説明は共に、例示かつ説明のために行なわれ、特許請求する本発明についての説明を付加するために行なわれる。他の特徴及び態様は、以下の詳細な説明、図面、及び請求項から明らかになる。
【００１４】
詳細な説明は、以下の図面を参照して行なわれ、これらの図面では、同様の参照番号は同様の構成要素を指している。
【図面の簡単な説明】
【００１５】
【図１】例示的なコンピュータを示すブロック図である。
【００１６】
【図２】無線充電装置をディスプレイと一体化させるシステムの一例を示している。
【００１７】
【図３】図２に示されたシステムの情報処理装置の１つの実施形態を示している。
【００１８】
【図４】無線充電装置をヒューマンマシンインターフェース（ＨＭＩ）ディスプレイを介して制御するシステムの一例を示している。
【００１９】
【図５】コマンド処理装置に関連するコマンド群の一例を示している。
【００２０】
【図６】車両内の図２のシステムの例示的な実施形態を示している。
【００２１】
【図７】車両内の図４のシステムの例示的な実施形態を示している。
【発明を実施するための形態】
【００２２】
本発明は、添付の図面を参照しながら以下に更に完全な形で説明される。これらの図面では、本発明の例示的な実施形態が図示されている。しかしながら、本発明は、多くの異なる構成で具体化することができるので、本明細書において開示される実施形態に限定されるものとして解釈されるべきではない。限定されるのではなく、むしろ、これらの例示的な実施形態は、本開示が包括的なものとなって、本発明の範囲を当該技術分野の当業者に完全に伝えるというように、提供される。本開示の目的のために、「それぞれのうちの少なくとも一方の（ａｔ  ｌｅａｓｔ  ｏｎｅ  ｏｆ  ｅａｃｈ）」とは、該当する表現に続いて列挙される構成要素群の任意の組み合わせ、列挙される複数の構成要素の組み合わせを含む、を意味する。例えば、「Ｘ，Ｙ，Ｚのうちの少なくとも１つ（ａｔ  ｌｅａｓｔ  ｏｎｅ  ｏｆ  Ｘ，  Ｙ，  ａｎｄ  Ｚ）」とは、Ｘのみ、Ｙのみ、Ｚのみを意味するか、または、２つ以上のアイテムＸ、Ｙ、及びＺの任意の組み合わせを意味すると考えられる（例えば、ＸＹＺ、ＸＺ、ＹＺ、Ｘ）。図面及び詳細な説明の全体を通じて、異なることが記載されていない限り、同じ図面参照番号は、同じ構成要素群、特徴群、及び構造群を指していると理解される。これらの構成要素の相対的なサイズ及び表示は、明瞭性、図示性、及び簡便性のために、誇張されている可能性がある。
【００２３】
無線充電装置は、種々の状況で提供されて、電子機器の所有者が電子機器を無線充電することができるようになっている。この手順により、目障りで不便な電源コードを回避することができる。
【００２４】
背景技術の節で説明したように、無線充電装置は、無線充電面と併せて提供される。無線充電面は、電子機器を操作者が載置することにより収容するように構成され得る。一旦、操作者が電子機器を無線充電面に載置すると、無線充電が開始され得る。
【００２５】
しかしながら、操作者は、電子機器を移動させる必要がある可能性がある。例えば、電子機器は、無線充電が一層容易になるように移動させることにより、電子機器と無線充電装置との間の正しい位置合わせを確実に行なうことができる。無線充電装置の特定の実施形態は、ＬＥＤインジケータを含む。しかしながら、１個の点光源または１つのＬＥＤインジケータは、電子機器操作者が移動体機器を正しく位置合わせして電子機器を最適に無線充電するための十分な情報源とならない可能性がある。
【００２６】
更に、充電に関連する情報を提供する単一のＬＥＤインジケータの単純さにより、操作者をいら立たせてしまうかもしれない。このいら立ちによって、運転体験がより安全でないものとなり得る（無線充電装置が車両に実装される場合）。
【００２７】
更に、無線充電装置が更に複雑になると、無線充電の手順に関連する情報が更に多くなる。例えば、操作者に第１規格及び第２規格が提供されて無線充電を容易にする、という状況が現われる可能性がある。単一のＬＥＤは、操作者が決定を下すことができるための十分な情報源とならない可能性がある。
【００２８】
本明細書において開示されるのは、無線充電装置をヒューマンマシンインターフェース（ＨＭＩ）と一体化させるシステム、方法、及びデバイスである。本明細書において開示される種々態様は、既存の無線充電装置をＨＭＩに接続するか、または情報を出力することができる他のデバイスに接続すること、を考慮している。ＨＭＩは、車両内のインスツルメントパネル（ＩＰ：計器盤）のディスプレイとすることができる、または、１個の簡易なＬＥＤインジケータよりも複雑な形式でデジタル情報を操作者に提供することができるいずれかの種類の電子機器とすることができる。従って、本明細書において開示される種々態様を用いて、電子機器の操作者は、より確実な、より安全な、そしてより快適なユーザ体験を、電子機器を無線充電しながら得ることができる。
【００２９】
図１は、例示的なコンピュータ１００を示すブロック図である。コンピュータ１００は、チップセット１０４に接続される少なくとも１つの処理装置１０２を含む。チップセット１０４は、メモリコントローラハブ１２０と、入力／出力（Ｉ／Ｏ）コントローラハブ１２２と、を含む。メモリ１０６及びグラフィックスアダプター１１２は、メモリコントローラハブ１２０に接続され、ディスプレイ１１８は、グラフィックスアダプター１１２に接続されている。記憶装置１０８、キーボード１１０、ポインティングデバイス１１４、及びネットワークアダプター１１６は、Ｉ／Ｏコントローラハブ１２２に接続されている。コンピュータ１００の他の実施形態は、異なるアーキテクチャを有することができる。
【００３０】
記憶装置１０８は、ハードドライブ、コンパクトディスクリードオンリメモリ（ＣＤ−ＲＯＭ）、ＤＶＤ、または固体メモリ装置のような、非一時的なコンピュータ可読記憶媒体である。メモリ１０６は、処理装置１０２によって使用される命令群及びデータを保持する。ポインティングデバイス１１４は、マウス、トラックボール、または他の種類のポインティングデバイスであり、キーボード１１０と組み合わせて使用されてデータをコンピュータ１００に入力する。ポインティングデバイス１１４は更に、ゲームシステム制御装置とすることができる、または、ゲームシステムを制御するために使用されるいずれかの種類のデバイスとすることができる。例えば、ポインティングデバイス１１４は、生体認証走査を用いて特定ユーザを検出する動画撮像装置または画像撮像装置に接続され得る。特定ユーザは、モーションまたはジェスチャーを行なってポインティングデバイス１１４に指示することができ、コンピュータ１００の種々の形態を制御することができる。
【００３１】
グラフィックスアダプター１１２は、画像及び他の情報をディスプレイ１１８に表示する。ネットワークアダプター１１６は、コンピュータシステム１００を１つ以上のコンピュータネットワークに接続する。
【００３２】
コンピュータ１００は、コンピュータプログラムモジュール群を実行して、本明細書において説明される機能を実現するように、適合されている。本明細書において使用されるように、「モジュール（ｍｏｄｕｌｅ）」という用語は、指定される機能を提供するために使用されるコンピュータプログラムロジックを指す。従って、モジュールは、ハードウェア、ファームウェア、及び／またはソフトウェアで実行することができる。１つの実施形態では、プログラムモジュール群は、記憶装置１０８に格納され、メモリ１０６に読み込まれ、そして処理装置１０２で実行される。
【００３３】
本明細書において開示されるエンティティ及び手順で使用されるコンピュータの種類は、エンティティが要求する実施形態及び処理能力によって変わり得る。コンピュータ１００は、移動体機器、タブレット、スマートフォン、または上に挙げた構成要素群を有するいずれかの種類の計算エレメント、とすることができる。例えば、ハードディスク、固体メモリまたは記憶装置のようなデータ記憶装置は、複数のブレードサーバを備える分散データベースシステムに格納することができ、これらのブレードサーバは一体となって動作して本明細書において記載される機能を実現する。これらのコンピュータからは、上に記載したコンポーネント群のうちの幾つかのコンポーネントを削除することができ、幾つかのコンポーネントとして、キーボード１１０、グラフィックスアダプター１１２、及びディスプレイ１１８を挙げることができる。
【００３４】
コンピュータ１００は、本明細書において開示されるコンテンツ共有サービスを提供するサーバ（図示せず）として機能することができる。コンピュータ１００は、他のコンピュータ１００のデバイス群とのクラスタリングを行なって、サーバを構成することができる。サーバを構成する種々のコンピュータ１００のデバイス群は、互いにネットワークを介して通信することができる。
【００３５】
図２は、無線充電装置２６０をディスプレイ２７０と一体化させるシステム２００の一例を示している。システム２００は、情報受信機２１０と、情報処理装置２２０と、情報通信機器２３０と、を含む。
【００３６】
システム２００は、無線充電装置２６０及びディスプレイ２７０に接続されるものとして図示されている。他の実施形態では、システム２００は、ディスプレイ２７０に電子制御ユニット（ＥＣＵ）２５０を介して接続することができる。ＥＣＵ２５０とは、原動機付き車両の電気システム群または電気サブシステム群のうちの１つ以上を制御するあらゆるエンベデッドシステム（埋め込みシステム）を表わす汎用表現である。別の実施形態では、システム２００は、ＥＣＵ２５０またはディスプレイ２７０内にハードコードされ得るし、または埋め込みロジックとして、例えばＥＣＵ２５０及びディスプレイ２７０の一部（システムオンチップ）として、提供され得る。
【００３７】
図２に示す無線充電装置２６０は、無線充電２６５を多種多様な機器に対して提供するように構成される。機器は、無線充電装置２６０の上に載置され得て、エネルギー／電力を非接触で受電することができる。図２に示すように、電子機器１−２８０、及び電子機器２−２９０が図示されている。これは、無線充電装置２６０が無線エネルギー２６５を１つよりも多くの機器に一度に供給できることを示している。
【００３８】
情報受信機２１０は、情報２０１を無線充電装置２６０から受信する。情報２０１は、システム２００を無線充電装置２６０に接続する有線技術または無線技術を利用して、電気的に送信することができる。情報２０１は、無線充電装置２６０を介して、コイルを経由するデータ信号として受信することができる。
【００３９】
ＲＦＩＤ（無線周波数識別装置）は、１つの利用可能な通信チャネルであるが、それよりも高い可能性として、Ｒｘ（受電側）とＴｘ（送電側）との間の通信経路はＤＯＣであり、Ｔｘは、最も高い可能性として、車両と有線ネットワーク（ＣＡＮ，ＬＩＮなど）を介して通信する。
【００４０】
ＲｘとＴｘとの間で利用可能な他の通信プロトコルとして、ＢＴ（ＢＴは、ＰＭＡ誘導またはＱｉ誘導を利用した充電プロトコルではなく、Ａ４ＷＰの磁界共鳴を利用した充電プロトコルの一次通信チャネルとして指定される）及びＮＦＣ（複数の自動車ＯＥＭ（相手先商標製品の製造会社）は、ＮＦＣ（近距離無線通信）機能を無線充電モジュールに付加することを検討している）を挙げることができる。
【００４１】
情報処理装置２２０は、情報２０１を利用可能な形式に変換することができる。図３は、情報処理装置２２０の１つの実施形態の一例を示している。
【００４２】
情報処理装置２２０は以下の事項を取り扱う。
【００４３】
１）無線充電装置２６０のオン／オフ状態（３０１）。
【００４４】
２）無線充電を効率的に行なえる表面または領域の最適なＸ、Ｙ（またはＸ、Ｙ、Ｚ）位置を表示する位置合わせ支援制御（３０２）。
【００４５】
３）異物２９５（または、異物群）の提示（３０３）−異物２９５は、誤検出を無線充電装置２６０において引き起こす物体であり得る。
【００４６】
４）電子機器１−２８０の充電レベル、または電子機器２−２９０の充電レベル、のうちの一方（３０４）。
【００４７】
５）これらの電子機器の充電速度のうちの少なくとも一つの充電速度（３０５）。
【００４８】
６）これらの電子機器の充電効率（充電率）のうちの少なくとも一つの充電効率（３０６）。
【００４９】
７）これらの電子機器のうちの少なくとも一つを充電するために要する推定時間（３０７）。
【００５０】
８）各電子機器または無線充電器２６０に関連する利用可能な充電モード（３０８）。
【００５１】
９）これらの電子機器の各々の識別情報（３０９）−特定の事例では、無線充電に用いる無線周波数が、機器を特定する情報を含むことができる、
【００５２】
１０）電子機器群を、無線充電装置で積極的に充電する回数（３１０）。
【００５３】
１１）無線充電装置２６０に関連する識別情報（３１１）。
【００５４】
１２）電子機器が無線充電装置２６０上に載置されている場合、無線充電装置２６０の設置場所（すなわち、車両）から離れる際に電子機器を持ち出すことについてのリマインダ（３１２）。
【００５５】
１３）バッテリの動作状態（３１３）。
【００５６】
１４）バッテリに関連する異常状態（３１４）。
【００５７】
受信される情報は、システム２００に接続された永続記憶装置２０５に格納することができる。永続記憶装置２０５は、上に挙げたこれらの記憶装置のうちのいずれかの記憶装置とすることができる。
【００５８】
例えば、受電側識別情報が受信される場合（３１０）、情報処理装置２２０は、受信情報２０１を、受電側に関する既知の特徴と、ルックアップテーブル２０６（永続記憶装置２０５に格納される）を介して関連付けることができる。例えば、ルックアップテーブル２０６は、電子機器１−２８０に関連する優先度（preference）を格納することができ、この優先度を用いて、無線充電を制御することができる。以下に詳細に説明される図４は、この特徴を詳細に説明している。
【００５９】
別の例では、受信識別情報（３１１）は、推奨位置合わせ（３０２）に関連付けることができ、出力情報は、電子機器１−２８０を載置する推奨場所（すなわち、Ｘ、Ｙ、またはＸ、Ｙ、Ｚの座標点）に対応させることができる。
【００６０】
上に挙げた事例は例示に過ぎない。情報受信機２１０を介して受信される情報２０１の他の実施形態も実現され得る。
【００６１】
情報通信機器２３０は、処理済みの情報２０２をディスプレイ２７０に送信する（または、ＥＣＵ２５０のようなディスプレイ駆動装置を介して）。変換済み情報２０２を用いて、出力をディスプレイ２７０に表示することができる。
【００６２】
別の実施形態では、変換済み情報２０２は、非視覚的表示で提示することもでき、例えば聴覚提示する、触覚提示する、などができる。
【００６３】
図４は、無線充電装置２６０をヒューマンマシンインターフェース（ＨＭＩ）ディスプレイ４５０を介して制御するシステム４００の一例を示している。システム４００は、コマンド受信機４１０と、コマンド処理装置４２０と、コマンド通信装置４３０と、を含む。ＨＭＩディスプレイ４５０は、ＥＣＵ２５０に接続することができる、またはシステム４００に直接、接続することができる。
【００６４】
ＨＭＩディスプレイ４５０は、搭載ディスプレイを有する触れることができる構成の機器である。ＨＭＩディスプレイ４５０は、スクリーン４５５を採用したグラフィカルユーザインターフェース（ＧＵＩ）を含むことができる。ＨＭＩディスプレイ４５０は、入力装置４６０のようなインターフェース装置を介して制御することができる。入力装置４６０は、ＨＭＩディスプレイ４５０と通信可能な、いずれのインターフェース装置とすることもできる。別の構成として、ＨＭＩディスプレイ４５０は、ＨＭＩディスプレイ４５０のスクリーン４５５に組み込まれて埋め込まれたタッチインターフェース４５１を介して制御することができる。
【００６５】
システム４００の環境に応じて、ＨＭＩディスプレイ４５０は、無線充電装置２６０の動作に関連するコマンドを提示するように構成され得る。
【００６６】
ＨＭＩディスプレイコマンド受信機４１０は、入力４０１に基づいて生成されるデータをＨＭＩディスプレイ４５０から受信する。例えば、ＨＭＩディスプレイ４５０は、操作者にクエリまたはリクエストを提示して、操作者がタッチインターフェース４５１に触れることにより、または入力装置４６０に触れることにより、無線充電装置２６０に命令を出すことができる。無線充電装置２６０の動作に関連するコマンド群及びインターフェース群について、以下に順次説明する。
【００６７】
コマンド処理装置４２０は、入力４０１を受信し、コマンド４０２を決定して、無線充電装置２６０に送信する。コマンド４０２は、永続記憶装置４０５から取り出すことができる。
【００６８】
図５は、コマンド処理装置４２０に関連するコマンド群の一例を示している。これらのコマンドは例示に過ぎず、このようなコマンド群の任意の組み合わせが、システム４００を実行するために利用可能である。
【００６９】
図５を参照するに、コマンド処理装置４２０は、以下の手順を含む。
【００７０】
１）無線充電装置２６０の電源をオン／オフする（５０１）。
【００７１】
２）無線充電装置２６０の無線充電モード（例えば、ＰＭＡ規格、ＷＰＣ規格、またはＡ４ＷＰ規格）を選択する（５０２）。
【００７２】
３）複数の電子機器が無線充電装置２６０上に提示されると、ユーザに、これらの機器のうち、どの機器にも充電させない、幾つかの機器を充電させる、または全ての機器を充電させる、の選択を許可する（５０３）。
【００７３】
４）複数の無線充電装置がシステム４００に提示されるまたは接続される場合、ユーザに、これらの無線充電装置群のうち、どの無線充電装置も選択しない、１つの無線充電装置を選択する、または全ての無線充電装置を選択する、の選択を許可する（５０４）。
【００７４】
５）事前設定状態を保存する（５０５）。例えば、
【００７５】
Ａ）特別に指定された機器（３１１を介して）を特定の充電モードで充電する、
【００７６】
Ｂ）特別に指定された機器を充電しない、
【００７７】
Ｃ）複数の機器が無線充電装置２６０上に載置されると、充電動作を特定の順番で実行する。
【００７８】
一旦コマンド４０２が生成されると、当該コマンドを無線充電装置２６０に送信することができる。従って、選択される（コマンド処理装置４２０を介して）コマンド４０２に基づいて、無線充電装置２６０は動作をそれに応じて変更することができる。
【００７９】
図６は、車両６００内のシステム２００の例示的な実施形態を示している。車両６００は、ヘッドアップディスプレイ（ＨＵＤ）６１０、計器盤ディスプレイ６２０、及びセンターディスプレイ（ディスプレイ２７）、のような幾つかのディスプレイを含む。上に挙げたディスプレイ群の各々は、図２に示されるディスプレイ２７０として機能することができる。
【００８０】
図６を参照するに、車両６００は、無線充電装置２６０が、座席の近傍の領域に、または座席の周りの領域に設置される様子を示している。無線充電装置２６０は、ＥＣＵ２５０に接続されるシステム２００に接続される。ＥＣＵ２５０及びシステム２００は、説明の目的のために、図６において視認することができる。しかしながら、幾つかの実施形態では、システム２００及びＥＣＵ２５０は見えない可能性がある。
【００８１】
情報２０１のアイテム群のうちの幾つかのアイテムは、ディスプレイ２７０を介して表示される。図示の例は一例であり、ディスプレイ２７０を用いて、図３から取得可能なアイテム群のいずれのアイテムも表示することができる。図示のように、個々の機器が確認（特定）され（３１１）、バッテリ充電レベル（３０４）、個々の機器のモード（３０９）、及び無線充電装置２６０の充電能力が確認される。更に図示されているのは、異物２９５が無線充電装置２６０上に存在していることを示す表示（３０３）である。
【００８２】
図７は、車両６００内のシステム２００の例示的な実施形態を示している。車両６００は、ヘッドアップディスプレイ（ＨＵＤ）６１０、計器盤ディスプレイ６２０、及びセンターディスプレイ６３０のような、幾つかのディスプレイを含む。上に挙げたディスプレイ群の各々は、図４に示されるＨＭＩディスプレイ４５０として機能することができる。
【００８３】
図７を参照するに、ＨＭＩディスプレイ４５０は、システム４００及びＥＣＵ２５０に接続される。ＨＭＩディスプレイ４５０は、タッチスクリーン４５１に触ることができる構成になっている。別の例では、ＨＭＩディスプレイ４５０は、インターフェース装置４６０を介して制御することができる。無線充電装置２６０は更に、システム４００に接続される。
【００８４】
ＨＭＩディスプレイ４５０は、無線充電装置２６０のオン／オフ状態（４０１）、充電モード（４０２）、いずれの機器群を充電するか（４０３）、充電器（４０４）、及び優先度（４０５）を制御するＧＵＩ部品を示している。従って、人が、上に示すＧＵＩ部品群のいずれかに触れる時、システム４００に関連する種々のモードを制御することができる。
【００８５】
図６及び図７では、システム２００及びシステム４００はそれぞれ、個々に実行される。しかしながら、別の例では、システム２００及びシステム４００に関連する考え方（コンセプト）は、組み合わせることができる。従って、システム２００を介して取得される（及び、ディスプレイ２７０またはＨＭＩディスプレイ４５０を介して表示される）情報は、システム４００のインターフェースの一部として提示することができる。例えば、利用可能なモード群の知識（情報）は（システム２００）、システム４００を介して触れる（入力する）べき選択肢として表示され得る。
【００８６】
当該技術分野の当業者であれば、本発明の思想または範囲から逸脱しない限り、種々の変形及び変更を本発明に加えることができることを理解するであろう。従って、本発明は、本発明の変形及び変更を、それらが添付の特許請求の範囲及びその均等物の範囲に含まれるならば、包含するものである。
【図１】
2016135099.tif 000003
【図２】
2016135099.tif 000004
【図３】
2016135099.tif 000005
【図４】
2016135099.tif 000006
【図５】
2016135099.tif 000007
【図６】
2016135099.tif 000008
【図７】
2016135099.tif 000009